(57)【要約】【課題】本発明は、移動通信端末に受信されるメッセージのうち機械的に発送されたメッセージなどのユーザが所望しないスパムメッセージ（ＳＭＳ、ＭＭＳなど）または重要度の低いメッセージを、様々な評価要素に基づいて自動で評価または分類などの処理をする一方、それに応じてメッセージ順位を変更するかまたは分類を異にしてメッセージ目録に表示できるようにする。【解決手段】本発明の一側面による受信メッセージ処理方法は、移動通信端末への特定発信者からの第１メッセージ受信を検出するステップ、第１メッセージに対する移動通信端末ユーザの反応情報を特定発信者情報に対応させて記録するステップ、および記録された移動通信端末ユーザの反応情報を参照して、その後に受信された特定発信者の第２メッセージに対する重要度を評価するステップを含む。【選択図】図４
2016201796.tif 000002
【特許請求の範囲】
【請求項１】
移動通信端末への特定発信者からの第１メッセージの受信を検出するステップ、
前記第１メッセージに対する前記移動通信端末のユーザの反応情報を前記特定発信者の情報に対応させて記録するステップ、および
前記記録された移動通信端末のユーザの反応情報を参照して、その後に受信される前記特定発信者の第２メッセージに対する重要度を評価するステップ
を含む、受信メッセージ処理方法。
【請求項２】
前記反応情報は、前記第１メッセージに対する閲覧、返信、伝達、削除および無反応のいずれか１つを含む、請求項１に記載の受信メッセージ処理方法。
【請求項３】
前記重要度を評価することは前記第２メッセージの順位を調整するものである、請求項１または２に記載の受信メッセージ処理方法。
【請求項４】
前記反応情報が閲覧、返信または伝達である場合に前記順位の上昇要因として考慮する、請求項３に記載の受信メッセージ処理方法。
【請求項５】
前記反応情報が削除または無反応である場合に前記順位の下降要因として考慮する、請求項３または４に記載の受信メッセージ処理方法。
【請求項６】
移動通信端末への受信日時に基づいた受信メッセージのデフォルト表示順位とは別途に、前記受信メッセージの重要度に応じた順位の上昇要因または順位の下降要因を定めるステップ、
前記移動通信端末へのメッセージの受信を検出するステップ、および
前記受信したメッセージに対して前記順位の上昇要因または順位の下降要因を検出して前記デフォルト表示順位を変更するステップ
を含む、受信メッセージ処理方法。
【請求項７】
前記受信したメッセージが機械的に発送されるメッセージである場合に前記順位の下降要因として考慮する、請求項６に記載の受信メッセージ処理方法。
【請求項８】
事前に構築されたデータベースの照会によって、前記受信したメッセージに、マーケティングと関連した内容が含まれていると判断される場合、前記順位の下降要因として考慮する、請求項６または７に記載の受信メッセージ処理方法。
【請求項９】
前記移動通信端末の住所録に前記メッセージの発信者の電話番号が格納されている場合に前記順位の上昇要因として考慮する、請求項６〜８のいずれか１項に記載の受信メッセージ処理方法。
【請求項１０】
前記メッセージの発信者の以前メッセージに対する前記移動通信端末のユーザの反応情報を、前記順位の上昇要因または下降要因として考慮する、請求項６〜９のいずれか１項に記載の受信メッセージ処理方法。
【請求項１１】
前記反応情報が閲覧、返信または伝達である場合に前記順位の上昇要因として考慮する、請求項１０に記載の受信メッセージ処理方法。
【請求項１２】
前記反応情報が削除または無反応である場合に前記順位の下降要因として考慮する、請求項１０または１１に記載の受信メッセージ処理方法。
【請求項１３】
移動通信端末に受信される複数のメッセージの各々に対して、発信者の電話番号、メッセージ内容および前記移動通信端末のユーザの反応情報のうち少なくとも１つ以上の基準によって重要度を評価するステップ、
前記移動通信端末のユーザによるメッセージ目録の表示要請を検知するステップ、および
前記メッセージ目録を活性化し、前記複数のメッセージの各々に対する前記評価された重要度に応じて前記メッセージ目録において前記複数のメッセージが区別されるように画面に表示するステップ
を含む受信メッセージ表示方法。
【請求項１４】
前記重要度を評価するステップは、前記発信者の電話番号を所定のデータベースと照会して代表番号または登録された業者である場合にマーケティングメッセージに分類する、請求項１３に記載の受信メッセージ表示方法。
【請求項１５】
前記重要度を評価するステップは、前記発信者の電話番号を前記ユーザの移動通信端末の住所録に前記発信者の電話番号が格納されている場合に重要メッセージと評価する、請求項１３または１４に記載の受信メッセージ表示方法。
【請求項１６】
前記重要度を評価するステップは、前記メッセージ内容を所定のデータベースと照会してマーケティングと関連した内容が含まれていると判断される場合にマーケティングメッセージに分類する、請求項１３〜１５のいずれか１項に記載の受信メッセージ表示方法。
【請求項１７】
前記重要度を評価するステップにおいて、前記反応情報は、前記複数のメッセージの各々に対する閲覧、削除、返信、伝達のいずれか１つを含む、請求項１３〜１６のいずれか１項に記載の受信メッセージ表示方法。
【請求項１８】
前記画面に表示するステップは、前記複数のメッセージのうちマーケティングメッセージと評価されるメッセージを、画面上に区分された別個のセクションに表示する、請求項１３〜１７のいずれか１項に記載の受信メッセージ表示方法。
【請求項１９】
前記画面に表示するステップは、前記重要度の評価の結果に応じた順位に基づいて前記メッセージ目録を画面に表示する、請求項１３〜１８のいずれか１項に記載の受信メッセージ表示方法。
【請求項２０】
請求項１〜１９のいずれか１項に記載の方法のステップをコンピュータに実行させるためのコンピュータプログラム。
【請求項２１】
移動通信端末への特定発信者からの第１メッセージの受信を検出するメッセージ受信部、
前記第１メッセージに対する前記移動通信端末のユーザの反応情報を前記特定発信者の情報に対応させて記録する情報記録部、および
前記記録された移動通信端末のユーザの反応情報を参照して、その後に受信される前記特定発信者の第２メッセージに対する重要度を評価する重要度評価部
を含む、受信メッセージ処理システム。
【請求項２２】
移動通信端末への受信日時に基づいた受信メッセージのデフォルト表示順位に対し、受信メッセージの重要度に応じた順位の上昇要因または順位の下降要因を定める重要度評価部、
前記移動通信端末へのメッセージの受信を検出するメッセージ受信部、および
前記受信メッセージに対して前記順位の上昇要因または順位の下降要因を検出して前記デフォルト表示順位を変更するメッセージ目録管理部
を含む受信メッセージ処理システム。
【請求項２３】
移動通信端末に受信される複数のメッセージの各々に対して発信者の電話番号、メッセージ内容および前記移動通信端末のユーザの反応情報のうち少なくとも１つ以上の基準によって重要度を評価する重要度評価部、
前記移動通信端末のユーザによるメッセージ目録の表示要請を検知するユーザインターフェース部、および
前記メッセージ目録を活性化し、前記複数のメッセージの各々に対する前記評価された重要度に応じて前記メッセージ目録において前記複数のメッセージが区別されるように画面に表示するメッセージ目録管理部
を含む受信メッセージ表示システム。
【発明の詳細な説明】
【技術分野】
【０００１】
本発明は、移動通信端末への受信メッセージの重要度評価および目録表示方法に関し、より詳しくは、移動通信端末に受信されるメッセージのうち機械的に発送されたメッセージなどユーザが所望しないスパムメッセージ（ＳＭＳ、ＭＭＳなど）または重要度の低いメッセージを自動で評価または分類などの処理をする一方、それに応じてメッセージ目録を表示する方法、システムおよびコンピュータプログラムに関する。
【背景技術】
【０００２】
移動通信端末の普及初期からＳＭＳ、ＭＭＳなどのテキストメッセージは個人の通信手段であるだけでなく、外部サーバなどＥＳＭＥ（Ｅｘｔｅｒｎａｌ  Ｓｈｏｒｔ  Ｍｅｓｓａｇｅ  Ｅｎｔｉｔｙ）と通信する手段として活用されてきた。よって、このようなメッセージを用いた複数の受信者に対するマーケティングが広く行われてきた。移動通信端末で処理可能なメッセージを介したマーケティングは、マーケティング主体（例えば、広告主）にとっては非常に有用な手段であるものには間違いないが、一般ユーザにとっては、仮にそのユーザが該情報に対してこれと言った関心がない場合であれば、繰り返されるスパムメッセージは非常に煩わしくて面倒なものである。
【０００３】
図１は、従来技術の移動通信端末のメッセージ目録の表示画面を示す図である。図示したように、メッセージ目録のうちにはそのユーザに重要な連絡先からのメッセージ１２，１６，２２，２４，２８，３０がある反面、少なからずのマーケティングのためのスパムメッセージ１４，１８，２０，２６が受信された時間を基準にした順位に従って共に表示される。
【０００４】
スパムメッセージは、例えば、１５ＸＸ−ＸＸＸＸのような形式のものが多く、これは、いわゆる、代表番号サービスともいい、一般電話番号の代わりに局番が「１５ＸＸ」、「１６ＸＸ」、「１８ＸＸ」から始まる電話番号を使用するサービスであり、暗記し易い番号であるという長所を有するために主に企業のコールセンターやフランチャイズ業者などが使用している。しかし、スパムメッセージが必ずしも上記のような場合に限定されるものではなく、０１０−ＸＸＸＸ−ＸＸＸＸのような形態の一般移動通信の電話番号の形態である場合も多いため、電話番号だけでは容易に区別し難い。
【０００５】
このようなスパムメッセージが機械的に複数の相手方に同時に送信される場合が多いという特徴を用いて、移動通信網において自動で検出および遮断するか、または複数のユーザのスマートフォンなどに設置されたアプリケーションとサーバの連動を通じて複数の相手方に同時に送信される発信者のメッセージを検出し、それをスパムメッセージに分類する方式の検出方法が提案されたりもした。
【０００６】
しかし、スパムメッセージも移動通信網を用いるユーザまたは顧客に該当するため、移動通信網においてそれを一括して検出および遮断するのは、顧客のメッセージを任意に遮断することとなって現実的に適用し難いだけでなく、移動通信網を通じたメッセージ漏れなどで通信の信頼性を害して善意の被害者が発生しうるし、複数のユーザのスマートフォンに設置されたアプリケーションとの連動を用いた方式も、データネットワークの負担とサーバの処理負荷が小さくないために常に適用するには困難な問題点がある。
【０００７】
また、現在まで提案された上記のようなスパムメッセージ検出方法のアルゴリズムは全ての場合に対して常に適用できる完璧なものではないため、そのためにスパムメッセージを単純に遮断する方式は正確度を補完できる方法が不足し、伝達されなければならないメッセージが遮断される副作用を招くことになる。
【０００８】
従来のスマートフォンなど移動通信端末１０のネイティブアプリケーションまたは別途に設置されたメッセージアプリケーションから提供されるＵＩまたはＵＥ（Ｕｓｅｒ  Ｅｘｐｅｒｉｅｎｃｅ）上の通常の受信メッセージ目録においては、図１に示すように単純に受信された時間を基準にした順位に従ってメッセージ（図面符号１２〜３０）を列挙している。
【０００９】
よって、図示したように複数のメッセージが受信された場合、上記のようなスパムメッセージや機械的に発送されたメッセージとそのユーザに重要なメッセージが時間順に列挙されるため、そのユーザに意味のある重要なメッセージを探すためには別途の検索やスクロール（Ｓｃｒｏｌｌ）などの作業が必要となる煩わしさがある。
【発明の概要】
【発明が解決しようとする課題】
【００１０】
本発明は、移動通信端末に受信されるメッセージのうち機械的に発送されたメッセージなどのユーザが所望しないスパムメッセージ（ＳＭＳ、ＭＭＳなど）または重要度の低いメッセージを様々な評価要素に基づいて自動で評価または分類などの処理をする一方、それに応じてメッセージ順位を変更するかまたは分類を異にしてメッセージ目録に表示できるようにするためのものである。
【００１１】
また、本発明は、移動通信端末ユーザの受信メッセージに対する反応を分析してデータベース化し、このようなデータベースに基づいて後続して受信される該発信者のメッセージに対してその重要度を評価または分類することをできるようにするためのものである。
【００１２】
また、本発明は、様々な受信メッセージに対するユーザの反応を類型別に把握して肯定的な反応情報と否定的な反応情報に応じてより正確に受信メッセージを評価または分類することができるようにするためのものである。
【００１３】
また、本発明は、メッセージ目録の表示において、単純な受信時間に応じた羅列方式でない、評価されたメッセージの分類に応じて区別して表示することによって、ユーザがより早い時間に重要なメッセージを容易に確認して閲覧および活用することができるようにするためのものである。
【００１４】
また、本発明は、メッセージ目録の表示において、単純な受信時間に応じた羅列方式でない、評価されたメッセージの重要度に応じて表示することによって、ユーザがより早い時間に重要なメッセージを容易に確認して閲覧および活用することができるようにするためのものである。
【課題を解決するための手段】
【００１５】
本発明の一側面による受信メッセージ処理方法は、移動通信端末への特定発信者からの第１メッセージの受信を検出するステップ、前記第１メッセージに対する前記移動通信端末のユーザの反応情報を前記特定発信者の情報に対応させて記録するステップ、および前記記録された移動通信端末のユーザの反応情報を参照して、その後に受信される前記特定発信者の第２メッセージに対する重要度を評価するステップを含む。
【００１６】
本発明の他の一側面による受信メッセージ処理方法は、移動通信端末への受信日時に基づいた受信メッセージのデフォルト表示順位とは別途に、前記受信メッセージの重要度に応じた順位の上昇要因または順位の下降要因を定めるステップ、前記移動通信端末へのメッセージの受信を検出するステップ、および前記受信したメッセージに対して前記順位の上昇要因または順位の下降要因を検出して前記デフォルト表示順位を変更するステップを含む。
【００１７】
本発明のまた他の一側面による受信メッセージ表示方法は、移動通信端末に受信される複数のメッセージの各々に対して、発信者の電話番号、メッセージ内容および前記移動通信端末のユーザの反応情報のうち少なくとも１つ以上の基準によって重要度を評価するステップ、前記移動通信端末のユーザによるメッセージ目録の表示要請を検知するステップ、および前記メッセージ目録を活性化し、前記複数のメッセージの各々に対する前記評価された重要度に応じて前記メッセージ目録において前記複数のメッセージが区別されるように画面に表示するステップを含む。
【００１８】
本発明のまた他の一側面によるコンピュータプログラムは、上述したいずれか１つの特徴による方法のステップをコンピュータに実行させるためのコンピュータプログラムである。
【００１９】
本発明のまた他の一側面による受信メッセージ処理装置は、移動通信端末への特定発信者からの第１メッセージ受信を検出するメッセージ受信部、前記第１メッセージに対する前記移動通信端末のユーザの反応情報を前記特定発信者情報に対応させて記録する情報記録部、および前記記録された移動通信端末のユーザの反応情報を参照して、その後に受信される前記特定発信者の第２メッセージに対する重要度を評価する重要度評価部を含む。
【００２０】
本発明のまた他の一側面による受信メッセージ処理装置は、移動通信端末への受信日時に基づいた受信メッセージのデフォルト表示順位に対し、前記受信メッセージの重要度に応じた順位の上昇要因または順位の下降要因を定める重要度評価部、前記移動通信端末へのメッセージの受信を検出するメッセージ受信部、および前記受信メッセージに対して前記順位の上昇要因または順位の下降要因を検出して前記デフォルト表示順位を変更するメッセージ目録管理部を含む。
【００２１】
本発明のまた他の一側面による受信メッセージ表示装置は、移動通信端末で受信される複数のメッセージの各々に対して発信者の電話番号、メッセージ内容および前記移動通信端末のユーザの反応情報のうち少なくとも１つ以上の基準によって重要度を評価する重要度評価部、前記移動通信端末のユーザによる前記メッセージ目録の表示要請を検知するユーザインターフェース部、および前記メッセージ目録を活性化し、前記複数のメッセージの各々に対する前記評価された重要度に応じて前記メッセージ目録において前記複数のメッセージが区別されるように画面に表示するメッセージ目録管理部を含む。
【発明の効果】
【００２２】
本発明により、移動通信端末に受信されるメッセージのうち機械的に発送されたメッセージなどユーザが所望しないスパムメッセージまたは重要度の低いメッセージを様々な評価要素に基づいて自動で評価または分類などの処理をする一方、それに応じてメッセージ順位を変更するかまたは分類を異にしてメッセージ目録に表示することができる。
【００２３】
また、本発明により、移動通信端末ユーザの受信メッセージに対する反応を分析してデータベース化し、このようなデータベースに基づいて後続して受信される該発信者のメッセージに対してその重要度を評価または分類することができる。
【００２４】
また、本発明により、様々な受信メッセージに対するユーザの反応を類型別に把握して肯定的な反応情報と否定的な反応情報に応じて正確に受信メッセージを評価または分類することができる。
【００２５】
また、本発明により、メッセージ目録の表示において、単純な受信時間に応じた羅列方式でない、評価されたメッセージの分類に応じて区別表示することによって、ユーザがより早い時間に重要なメッセージを容易に確認して閲覧および活用することができる。
【００２６】
また、本発明により、メッセージ目録の表示において、単純な受信時間に応じた羅列方式でない、評価されたメッセージの重要度に応じて表示することによって、ユーザがより早い時間に重要なメッセージを容易に確認して閲覧および活用することができる。
【図面の簡単な説明】
【００２７】
【図１】従来技術の移動通信端末へのメッセージ目録の表示画面を示す図である。
【図２】本発明に係る移動通信端末へのメッセージ処理および表示装置の一実施形態に関して説明するための図である。
【図３】本発明に係る移動通信端末へのメッセージ処理および表示装置の他の一実施形態に関して説明するための図である。
【図４】本発明に係る移動通信端末へのメッセージ処理および表示方法の一実施形態に関して説明するための図である。
【図５】本発明に係る移動通信端末へのメッセージ処理および表示方法の一実施形態に関して説明するための図である。
【図６】本発明に係る移動通信端末へのメッセージ処理および表示方法の一実施形態に関して説明するための図である。
【図７】本発明に係る移動通信端末へのメッセージ処理および表示方法の一実施形態に関して説明するための図である。
【発明を実施するための形態】
【００２８】
本発明で用いられる技術的用語は単に特定の実施形態を説明するために用いられたものであって、本発明の権利範囲を限定しようとする意図ではないことに留意しなければならない。また、本発明で用いられる技術的用語は、本発明で特に他の意味に定義されない限り、本発明が属する技術分野で通常の知識を有した者に一般的に理解される意味に解釈するべきであり、過度に包括的な意味に解釈したり、過度に縮小された意味に解釈してはいけない。また、本発明で用いられる技術的な用語が本発明の思想を正確に表現できない誤った技術的用語であるときには、該分野の通常の技術者が正しく理解できる技術的用語に替えて理解しなければならない。また、本発明で用いられる一般的な用語は、辞典に定義されたものに応じて、または前後の文脈上に応じて解釈するべきであり、過度に縮小された意味に解釈してはいけない。
【００２９】
また、本発明で用いられる単数の表現は文脈上明らかに異なるように意味しない限り複数の表現を含む。本発明において、「構成される」または「含む」などの用語は、本発明に記載された色々な構成要素、または色々なステップを必ず全て含むものとして解釈してはいけず、そのうち一部の構成要素または一部のステップは含まれなくてもよく、または追加の構成要素またはステップをさらに含んでもよいものとして解釈しなければならない。
【００３０】
なお、本発明で用いられる第１、第２などのように序数を含む用語が構成要素を説明するのに用いられるが、構成要素は用語によって限定されてはならない。用語は１つの構成要素を他の構成要素から区別する目的にのみ用いられる。例えば、本発明の権利範囲を逸脱することなく、第１構成要素は第２構成要素に命名されてもよく、同様に第２構成要素も第１構成要素に命名されてもよい。
【００３１】
以下、添付図面を参照して本発明に係る実施形態を詳細に説明するが、図面符号に関係なく同一または類似する構成要素は同一の参照番号を付け、それに関する重複する説明は省略することにする。
【００３２】
また、本発明を説明するにおいて、関連の公知技術に関する具体的な説明が本発明の要旨を不要に濁す恐れがあると判断される場合にはその詳細な説明は省略する。また、添付された図面は本発明の技術思想を容易に理解できるようにするためのものに過ぎず、添付された図面によって本発明の技術思想が制限されると解釈してはいけないことに留意しなければならない。
【００３３】
本発明でいう、受信メッセージに対する移動通信端末ユーザの反応情報とは、該メッセージの発信者に対して移動通信端末ユーザがどのような反応をしたかを示す情報をいい、これはその後に同一発信者から後続メッセージが受信された場合にそのユーザに意味のある重要なメッセージであるか否かを判断する基準となる。
【００３４】
例えば、「反応情報」は、受信メッセージに対する閲覧、返信、伝達、削除および無反応のいずれか１つを含むものであってもよい。一般的に重要な相手方からメッセージが受信された場合は、ユーザは、例えば、一定期間内にそれを閲覧したり、返信したり、他人に伝達したりするなどの反応を示し、マーケティング性格のメッセージなど重要でないメッセージの場合は、一定期間内に閲覧なしで削除したり、反応せずに放置するなど（無反応）の処理をしたりする。本発明は、このような受信者の「反応情報」に基づいて、同一発信者から後続メッセージが受信された場合、そのユーザに意味のある重要なメッセージであるか否かを判断できるようにすることを主な特徴の１つとする。
【００３５】
図２は、本発明に係る移動通信端末へのメッセージ処理および表示システムの一実施形態に関して説明するための図である。
【００３６】
図示したように、本発明の移動通信端末１０は携帯電話、ＰＤＡ、スマートフォン、タブレットなどの様々な形態および名称のものであってもよく、移動通信網および無線インターネット網に接続可能なものであってもよい（ここで、無線インターネット網とは３Ｇ、４Ｇなどの移動通信ネットワークを介して提供されるデータ通信サービスを含む）。ＳＭＳ、ＭＭＳなどのメッセージの受信および処理が可能であり、所定サービスのためのサーバ２００が無線インターネット網を介して移動通信端末１０とデータ通信を行うことができる。
【００３７】
実施形態の移動通信端末１０は、例えば、ユーザの入力を区別検知し画面に表示するためのユーザインターフェース部（図示せず）、メッセージ受信部１１０、情報記録部１２０、情報照会部１３０、重要度評価部１４０、およびメッセージ目録管理部１５０を含む受信メッセージ処理および表示システム１００を備えることができる。
【００３８】
メッセージ受信部１１０は、移動通信端末１０において所定発信者からのメッセージ受信を検出し、該メッセージから発信者情報と内容情報を判読することができる。
【００３９】
情報記録部１２０は、受信メッセージに対する移動通信端末１０のユーザの反応情報を特定の発信者情報に対応させて記録することができる。ここで、「反応情報」とは、上述したように、該メッセージの発信者に対して以前に移動通信端末ユーザがどのような反応をしたかを示す情報をいい、これはその後に同一発信者から後続メッセージが受信された場合にそのユーザに意味のある重要なメッセージであるか否かを判断する基準となる。
【００４０】
情報照会部１３０は、受信メッセージの重要度を評価するために端末自体内または外部サーバに構築されたデータベース（図示せず）を参照しなければならない場合に、必要な情報を照会する機能を実行する。例えば、上述した情報記録部１２０によって記録された特定発信者別の「反応情報」関連のデータベース、または代表番号（例えば、１５ＸＸ、１６ＸＸなど）データベース、または各ユーザまたは複数のユーザが協業によってマーケティングメッセージとして登録した発信者情報のデータベース、またはメッセージ内容にマーケティング関連の内容が含まれているか否かを判断するための基準となるマーケティング関連の語彙データベースなどが情報照会部１３０の照会対象となることができる。
【００４１】
重要度評価部１４０は、受信された複数のメッセージの各々に対して発信者の電話番号、メッセージ内容および移動通信端末ユーザの反応情報のうち少なくとも１つ以上の基準によって重要度を評価することができる。
【００４２】
重要度評価部１４０によって行われる重要度の評価は、評価結果に応じて順位を調整する形態で実現されることができ、これは移動通信端末１０から一般的に提供される受信日時に基づいた受信メッセージのデフォルト表示順位とは別途に、受信メッセージの重要度を評価するための構成をいう。この時、重要度評価部１４０は、予め設定された受信メッセージの順位の上昇要因または順位の下降要因を把握して調整する機能を行うことができる。
【００４３】
ここで、順位の調整時には上述した反応情報を考慮することができ、例えば、反応情報が上述した閲覧、返信または伝達である場合には順位の上昇要因として考慮して、受信日時に基づいた受信メッセージのデフォルト表示順位に比べて順位を上昇させることができる。また、例えば、反応情報が上述した削除または無反応である場合には順位の下降要因として考慮して、受信日時に基づいた受信メッセージのデフォルト表示順位に比べて順位を下降させることもできる。
【００４４】
また、メッセージ目録管理部１５０は、移動通信端末ユーザのユーザインターフェース部を介してメッセージ目録の表示要請を検知すれば、メッセージ目録を活性化し、複数のメッセージの各々に対する重要度評価部１４０によって評価された重要度に応じて、メッセージ目録において複数のメッセージ重要度が所定の表示方法によって区別されるように画面に表示する。
【００４５】
例えば、メッセージ目録管理部１５０は、受信メッセージに対して上述した順位の上昇要因または順位の下降要因を検出して、受信日時を基準とするデフォルト表示順位を変更して表示することができる。
【００４６】
図３は、本発明に係る移動通信端末へのメッセージ処理および表示システムの他の一実施形態に関して説明するための図である。
【００４７】
図２の実施形態におけるメッセージ受信部１１０、情報記録部１２０、情報照会部１３０、重要度評価部１４０、およびメッセージ目録管理部１５０の全部または一部の構成は、サーバ２００に備えられ、移動通信端末１０に備えられたアプリケーションとのデータ通信を介して実行される形態に実現されることができる。
【００４８】
図３は、このような実施形態のうち、情報記録部２２０、情報照会部２３０、重要度評価部２４０がサーバ２００に実現された例を示す。本実施形態の移動通信端末１０は、例えば、ユーザの入力を区別検知し画面に表示するためのユーザインターフェース部（図示せず）を含み、サーバ２００と必要なデータをやりとりするアプリケーション３００を備えることができる。
【００４９】
アプリケーション３００はメッセージ受信部３１０を含むことができ、メッセージ受信部３１０は移動通信端末１０において所定発信者からのメッセージ受信を検出し、該メッセージから発信者情報と内容情報を判読してサーバ２００にその他の必要な情報を送信する。
【００５０】
サーバ２００の情報記録部２２０は、受信メッセージに対する移動通信端末１０ユーザの反応情報を端末１０のアプリケーション３００から受信して特定の発信者情報に対応させて記録することができる。ここで、「反応情報」とは、上述したように、該メッセージの発信者に対して以前に移動通信端末ユーザがどのような反応をしたかを示す情報をいい、これはその後に同一発信者から後続メッセージが受信された場合にそのユーザに意味のある重要なメッセージであるか否かを判断する基準となる。
【００５１】
情報照会部２３０は、受信メッセージの重要度を評価するためにサーバに構築されたデータベース（図示せず）を参照しなければならない場合に、必要な情報を照会する機能を実行する。例えば、上述した情報記録部２２０によって記録された特定発信者別の「反応情報」関連のデータベース、または代表番号（例えば、１５ＸＸ、１６ＸＸなど）データベース、または各ユーザまたは複数のユーザが協業によってマーケティングメッセージとして登録した発信者情報のデータベース、またはメッセージ内容にマーケティング関連の内容が含まれているか否かを判断するための基準となるマーケティング関連の語彙データベースなどが情報照会部２３０の照会対象となることができる。
【００５２】
重要度評価部２４０は、受信された複数のメッセージの各々に対して発信者の電話番号、メッセージ内容および移動通信端末ユーザの反応情報のうち少なくとも１つ以上の基準によって重要度を評価することができる。
【００５３】
重要度評価部２４０によって行われる重要度の評価は、評価結果に応じて順位を調整する形態に実現されることができ、これは移動通信端末１０から一般的に提供される受信日時に基づいた受信メッセージのデフォルト表示順位とは別途に、受信メッセージの重要度を評価するための構成をいう。この時、重要度評価部２４０は、予め設定された受信メッセージの順位の上昇要因または順位の下降要因を把握して調整する機能を行うことができる。
【００５４】
ここで、順位の調整時には上述した反応情報を考慮することができ、例えば、反応情報が上述した閲覧、返信または伝達である場合には順位の上昇要因として考慮して、受信日時に基づいた受信メッセージのデフォルト表示順位に比べて順位を上昇させることができる。また、例えば、反応情報が上述した削除または無反応である場合には順位の下降要因として考慮して、受信日時に基づいた受信メッセージのデフォルト表示順位に比べて順位を下降させることもできる。
【００５５】
また、端末１０のアプリケーション３００に含まれるメッセージ目録管理部３５０は、移動通信端末ユーザのユーザインターフェース部を介したメッセージ目録の表示要請を検知すれば、メッセージ目録を活性化し、複数のメッセージの各々に対する重要度評価部２４０によって評価された重要度を前記サーバ２００から受信して、メッセージ目録において複数のメッセージ重要度が所定の表示方法によって区別されるように画面に表示する。
【００５６】
例えば、メッセージ目録管理部３５０は、受信メッセージに対して上述した順位の上昇要因または順位の下降要因を検出して受信日時を基準とするデフォルト表示順位を変更して表示することができる。
【００５７】
以上で説明した図３の変形実施形態の他にも、端末１０のアプリケーション３００とサーバ２００に各機能を適切に分配した様々な実施形態が存在できることは通常の技術者にとって明らかである。例えば、移動通信端末へのメッセージ受信を検出する機能もサーバに備えられ、端末１０のアプリケーション３００から必要な情報を受信して実行されるように実現されることができる。
【００５８】
また、メッセージ目録管理部３５０もサーバ２００に備えられ、端末１０に備えられたメッセージ目録管理機能をするネイティブアプリケーションとの連動によって、メッセージ目録において複数のメッセージ重要度が所定の表示方法によって区別されるように画面に表示する作用を制御するように変形して実現されることもできる。
【００５９】
図４は、本発明に係る移動通信端末へのメッセージ処理および表示方法の一実施形態に関して説明するための図である。
【００６０】
図示したように、移動通信端末１０に受信される複数のメッセージの各々に対して発信者の電話番号、メッセージ内容および移動通信端末ユーザの反応情報のうち少なくとも１つ以上の基準によって重要度を評価し、移動通信端末１０のユーザによるメッセージ目録の表示要請を検知すれば、メッセージ目録を活性化し、複数のメッセージの各々に対して評価された重要度に応じてメッセージ目録において複数のメッセージの重要度が区別されるように画面に表示し、その過程の具体的な一実施形態に関して図４に示す。
【００６１】
先ず、移動通信端末１０へのメッセージの受信を検知すれば（Ｓ１０）、メッセージのヘッダなどから発信者情報を抽出する（Ｓ１５）。メッセージの重要度を評価するためには様々な基準が単独または組み合わされて適用されることができ、例えば、発信者の電話番号を所定のデータベースに照会して代表番号（例えば、局番が１５ＸＸ、１６ＸＸなど）であるか否かを判断し（Ｓ２０）、代表番号に該当する場合にはマーケティングメッセージに分類（Ｓ８５）することができる。また、各ユーザまたは複数のユーザの協同によって構築されたデータベースに照会してマーケティング業者として登録された発信者からのメッセージであるか否かを判断し（Ｓ３０）、それに該当する場合にはマーケティングメッセージに分類（Ｓ８５）することもできる。
【００６２】
また、上述した反応情報を考慮して重要メッセージに分類（Ｓ８０）することもでき、ここで、反応情報は、上述したように受信されたメッセージに対する閲覧、削除、返信、伝達のいずれか１つを含むものであってもよい。
【００６３】
例えば、一定期間の間累積した同一発信者からのメッセージの受信回数と閲覧回数（または返信回数や伝達回数）を比較することによって反応率を算出して所定基準値と比較し（Ｓ４０）、反応率が所定基準値より低ければマーケティングメッセージに分類（Ｓ８５）し、所定基準値より高いほど重要メッセージとして処理する方式が適用されることができる。
【００６４】
反応率＝閲覧回数／受信回数
【００６５】
その他にも、一定期間の間累積した同一発信者からのメッセージの受信回数と削除回数（または無反応回数）を比較することによって反応率を算出（下記の例示）し、反応率が所定基準値より高いほど、重要メッセージとして処理する方式が適用されることもできる。
【００６６】
反応率＝（受信回数−削除回数）／受信回数
【００６７】
その他にも、複数の基準が複合的に適用されることもでき、例えば、肯定的要素である閲覧、返信、伝達回数を全て加算し、否定的要素である削除回数と無反応回数を減算するか、これらのうち一部の基準だけを適用する方式など、様々な変形が可能である。本発明の１つの重要な技術思想は、該メッセージの発信者に対して以前に移動通信端末ユーザがどのような反応をしたかを示す情報である反応情報を用いて、その後に同一発信者から後続メッセージが受信された場合、そのユーザに意味のある重要なメッセージであるか否かを判断するということにあり、具体的な基準においては、上記で例示したものまたはその他の様々な変形が可能であるということを通常の技術者であれば容易に理解することができる。
【００６８】
また、ユーザの移動通信端末の住所録に、受信されたメッセージの特定発信者の電話番号が格納されているか否かを照会し（Ｓ５０）、格納されていない場合には、マーケティングメッセージに分類（Ｓ８５）する方式が適用されることもできる。
【００６９】
なお、受信メッセージの内容を抽出して所定のデータベースと照会してマーケティングと関連した内容が含まれていると判断（Ｓ７０）される場合には、マーケティングメッセージに分類（Ｓ８５）する方式が適用されることもできる。
【００７０】
例示された過程によってメッセージ類型が分類されると、受信されたメッセージのうちマーケティングメッセージと評価されるメッセージを、画面上に区分された別個のセクションに表示することができる（Ｓ９０）（例えば、図６）。
【００７１】
図４の実施形態で説明された各ステップは、図２に基づいて既に説明されたように移動通信端末１０に備えられたアプリケーションで行われてもよいが、図３またはその他の可能な変形実施形態のように、その全部または一部のステップがサーバ２００で行われ、端末１０とのデータ通信に基づいて各ステップに必要な情報を交換しながら実行される形態に実現できることは通常の技術者にとって明らかである。
【００７２】
メッセージの表示方式にも様々な例が可能であり、図６および図７は幾つかの例を示す。図６はメッセージ重要度を評価した結果に応じて重要メッセージ項目２１０とマーケティングメッセージ項目２２０を別途に表示した例を示し、図７はメッセージ重要度を評価した結果に応じて受信日時に基づいた受信メッセージのデフォルト表示順位とは異なるように表示順位を調整したものを例示する。
【００７３】
図５は、本発明に係る移動通信端末へのメッセージ処理および表示方法の一実施形態に関して説明するための図である。本実施形態は特に様々な評価要素に基づいてメッセージの順位を調整する内容を含む。
【００７４】
移動通信端末へのメッセージ受信を検知して（Ｓ１１０）、発信者情報を抽出し（Ｓ１１５）、移動通信端末への受信日時に基づいた受信メッセージのデフォルト表示順位とは別途に、メッセージの重要度に応じた順位の上昇要因または順位の下降要因を定める。
【００７５】
その具体的な例を見てみれば、仮に代表番号またはＤＢにマーケティングメッセージとして登録された番号の場合は、機械的に発送されるメッセージまたはそれと同等な性格のメッセージとして把握して、順位を所定値下降させることができる（Ｓ１２０）。
【００７６】
一方、上述したユーザの反応情報を把握し、反応情報の内容に応じて設定された値に適切に順位を調整することができる（Ｓ１３０）。
【００７７】
また、住所録に格納された番号の場合は、順位を所定値上昇させるように構成することができる（Ｓ１４０）。これは、住所録に格納されているものである場合、たとえ機械的に発送されたメッセージや過去の反応情報が否定的な場合であっても、そのユーザに重要なメッセージである可能性が高いためである。
【００７８】
なお、メッセージから内容を抽出し（Ｓ１５０）、事前に構築されたデータベースの照会によってマーケティングと関連した内容が含まれていると判断される場合、順位の下降要因として考慮して順位を調整することができる（Ｓ１６０）。
【００７９】
図５の実施形態で説明された各ステップは、図２に基づいて既に説明されたように移動通信端末１０に備えられたアプリケーションで行われてもよいが、図３またはその他の可能な変形実施形態のように、その全部または一部のステップがサーバ２００で行われ、端末１０とのデータ通信に基づいて各ステップに必要な情報を交換しながら実行される形態に実現できることは通常の技術者にとって明らかである。
【００８０】
上記の実施形態を通じて例示的に説明されている順位の上昇要因または順位の下降要因または各々のメッセージ評価要素は、各々一部だけが選択的に適用されることができ、本発明の技術思想の範囲内で適切に変形して適用できることは通常の技術者にとって明らかである。
【００８１】
以上で説明された本発明に係る実施形態は、様々なコンピュータ構成要素によって実行できるプログラム命令語の形態に実現されてコンピュータ読取可能な記録媒体に記録されることができる。コンピュータ読取可能な記録媒体はプログラム命令語、データファイル、データ構造などを単独でまたは組み合わせて含むことができる。コンピュータ読取可能な記録媒体に記録されるプログラム命令語は本発明のために特別に設計されて構成されたものであるか、コンピュータソフトウェア分野の通常の技術者に公知されて使用可能なものであってもよい。コンピュータ読取可能な記録媒体の例には、ハードディスク、フロッピー（登録商標）ディスクおよび磁気テープのような磁気媒体、ＣＤ−ＲＯＭおよびＤＶＤのような光記録媒体、フロプティカルディスク（ｆｌｏｐｔｉｃａｌ  ｄｉｓｋ）のような磁気−光媒体（ｍａｇｎｅｔｏ−ｏｐｔｉｃａｌ  ｍｅｄｉｕｍ）およびＲＯＭ、ＲＡＭ、フラッシュメモリなどのような、プログラム命令語を格納し実行するように特別に構成されたハードウェア装置が含まれる。プログラム命令語の例には、コンパイラによって作られるもののような機械語コードだけでなく、インタープリタなどを用いてコンピュータによって実行できる高レベルの言語コードも含まれる。ハードウェア装置は本発明に係る処理を実行するために１つ以上のソフトウェアモジュールに変更されてもよく、その逆も同様である。
【００８２】
本発明において説明する特定の実行は一実施形態であって、どのような方法によっても本発明の範囲を限定するものではない。明細書を簡潔にするために、従来の電子的な構成、制御システム、ソフトウェア、前記システムの他の機能的な側面の記載は省略されてもよい。また、図面に図示された構成要素間の線の連結または連結部材は機能的な連結および／または物理的または回路的な連結を例示的に示したものであって、実際の装置では代替可能であるか、または追加の様々な機能的な連結、物理的な連結、または回路的な連結として示されてもよい。また、「必須の」、「重要な」などのように具体的な言及がなければ、本発明の適用のために必ずしも必要な構成要素であるものではない。
【００８３】
本発明の明細書（特に特許請求の範囲で）において、「前記」の用語およびそれと類似する指示用語の使用は単数および複数の全てに該当するものである。また、本発明において、範囲（ｒａｎｇｅ）を記載した場合、前記範囲に属する個別的な値を適用した発明を含むものであり（それに反する記載がなければ）、発明の詳細な説明に前記範囲を構成する各個別的な値を記載したものと同じである。最後に、本発明に係る方法を構成するステップに対して明らかに順序を記載するかまたは反する記載がなければ、前記ステップは適当な順序で行われてもよい。必ずしも前記ステップの記載順によって本発明が限定されるものではない。本発明において、全ての例または例示的な用語（例えば、等など）の使用は単に本発明を詳細に説明するためのものであって、特許請求の範囲によって限定されない以上、前記例または例示的な用語によって本発明の範囲が限定されるものではない。また、通常の技術者であれば、様々な修正、組み合わせおよび変更が付加された特許請求の範囲またはその均等な範疇内で設計条件および要素に応じて構成できるということを理解することができる。
【符号の説明】
【００８４】
１０  ・・・移動通信端末
１００  ・・・受信メッセージ処理および表示システム
１１０  ・・・メッセージ受信部
１２０  ・・・情報記録部
１３０  ・・・情報照会部
１４０  ・・・重要度評価部
１５０  ・・・メッセージ目録管理部
２００  ・・・サーバ
２２０  ・・・情報記録部
２３０  ・・・情報照会部
２４０  ・・・重要度評価部
３００  ・・・アプリケーション
３１０  ・・・メッセージ受信部
３５０  ・・・メッセージ目録管理部
【図１】
2016201796.tif 000003
【図２】
2016201796.tif 000004
【図３】
2016201796.tif 000005
【図４】
2016201796.tif 000006
【図５】
2016201796.tif 000007
【図６】
2016201796.tif 000008
【図７】
2016201796.tif 000009